(57)【要約】      （修正有）【課題】容易に組み立てることができると共に、バケツ本体に被せた袋をきっちりと固定することが可能な簡易トイレを提供する。【解決手段】簡易トイレは、バケツ本体１０と、バケツ本体１０の上縁部分に載置される便座２０とを備え、バケツ本体１０の上縁部分の少なくとも一部に、外方向に張り出す張出部を有し、便座２０は、張出部と当接する当接部を有する。簡易トイレを使用する際は、バケツ本体１０の内面を覆うように袋３０を被せ、このとき、バケツ本体１０の上縁部分及び張出部も覆うように袋を被せる。その後、袋３０を被せたバケツ本体１０の上に、便座２０を載置する。【選択図】図５
0003206271.tif 000002
【実用新案登録請求の範囲】
【請求項１】
バケツ本体と、該バケツ本体の上縁部分に載置される便座とを備え、
該バケツ本体の上縁部分の少なくとも一部に、外方向に張り出す張出部を有し、
該便座は、該張出部と当接する当接部を有することを特徴とする簡易トイレ。
【請求項２】
該張出部と該当接部とは、互いに面接触又は多点接触する部分を備えることを特徴とする請求項１に記載の簡易トイレ。
【請求項３】
該張出部は、該便座に着座した人による荷重が集中する位置を含むように形成されることを特徴とする請求項１又は請求項２に記載の簡易トイレ。
【請求項４】
該張出部は、該バケツ本体の上縁部分の全周に亘って形成されることを特徴とする請求項１乃至請求項３のいずれかに記載の簡易トイレ。
【請求項５】
該便座は、該バケツ本体の上部開口部よりも内側まで張り出した平面形状を有することを特徴とする請求項１乃至請求項４のいずれかに記載の簡易トイレ。
【考案の詳細な説明】
【技術分野】
【０００１】
本考案は、災害等の緊急時の場面などで使用することが可能な簡易トイレに関する。
【背景技術】
【０００２】
従来、災害等の緊急時には、上下水道の破損等により水を流せなくなり、水洗式のトイレを使用できない事態に陥ることがある。
このような事態に対処すべく、緊急時に使用可能な簡易トイレに関する種々の技術が提案されている。例えば、特許文献１には、上下が開口し水平断面が台形状をなす筒体状の台座と、台座の上面に設けられた便座と、便座の後端部に回動自在に連結され便座の上面を覆う蓋と、台座の内部に収容されその上端部が便座を覆うように設置された屎尿袋を有する簡易トイレが開示されている。
【先行技術文献】
【特許文献】
【０００３】
【特許文献１】特開２００６−１９２１２１号公報
【考案の概要】
【考案が解決しようとする課題】
【０００４】
特許文献１の簡易トイレは適宜に組み立てて使用することが可能であるが、組み立てに必要な作業工数が多く、組み立てが面倒で時間がかかるという問題があった。
これに対し、バケツ本体の上に便座を載置するだけの簡易な構造とすれば、簡易トイレを容易に組み立てることができるが、バケツ本体に袋を被せてから便座を載置して使用する場合に、バケツ本体の上縁部分の幅が狭いために袋をしっかりと固定できないという問題があった。
【０００５】
本考案は、上記のような従来の事情に鑑みて為されたものであり、容易に組み立てることができると共に、バケツ本体に被せた袋をきっちりと固定することが可能な簡易トイレを提供することを目的とする。
【課題を解決するための手段】
【０００６】
本考案に係る簡易トイレは、バケツ本体と、該バケツ本体の上縁部分に載置される便座とを備え、該バケツ本体の上縁部分の少なくとも一部に、外方向に張り出す張出部を有し、該便座は、該張出部と当接する当接部を有することを特徴とする。
【０００７】
本考案に係る簡易トイレは、バケツ本体に便座を載置するだけ組み立てが済むので、容易に組み立てて使用することができる。
また、バケツ本体に袋を被せる際に、バケツ本体の上縁部分に設けた張出部も覆うように袋を被せ、その上に便座を載置することで、バケツ本体に被せた袋をバケツ本体の張出部と便座の当接部で挟み込んで固定することができる。これにより、袋をバケツ本体の上縁部分だけで便座で挟み込む場合に比べ、袋のより多くの部分を挟み込めるので、袋をしっかりと固定できるようになる。
【０００８】
ここで、本考案に係る簡易トイレにおいて、該張出部と該当接部とは、互いに面接触又は多点接触する部分を備えることが好ましい。これにより、バケツ本体の張出部と便座の当接部で挟み込まれる袋の面積が大きくなり、袋をしっかりと固定することができる。
【０００９】
また、本考案に係る簡易トイレにおいて、該張出部は、該便座に着座した人による荷重が集中する位置を含むように形成されることが好ましい。これにより、便座に着座した人による荷重が、バケツ本体の張出部に集中するので、この張出部に重なる袋の部分を便座の当接部でしっかりと押圧して固定することができる。
【００１０】
また、本考案に係る簡易トイレにおいて、該張出部は、該バケツ本体の上縁部分の全周に亘って形成されることが好ましい。これにより、バケツ本体の張出部の強度を向上させることができる。また、便座もこれに合わせた形状にすることで、バケツ本体に載置する便座のすわりをよくすることができる。
【００１１】
また、本考案に係る簡易トイレにおいて、該便座は、該バケツ本体の上部開口部よりも内側まで張り出した平面形状を有することが好ましい。これにより、小さい体の人（例えば、子供）が簡易トイレを使用する際に、その人の臀部が簡易トイレに落ち込んでしまうことを防止できる。なお、開口部の大きさが異なる複数の便座を用意しておくことで、使用者の体の大きさに応じて便座を使い分けるようにしてもよいし、便座の開口部の形状を簡易トイレの前後方向に長い略楕円形にすることで、使用者の体の大きさによらずに便座を共用できるようにしてもよい。
【００１２】
また、本考案に係る簡易トイレにおいて、該バケツ本体は、上部開口部から底面部に向かって径が縮小していることが好ましい。これにより、複数の簡易トイレを収納する場合に、バケツ本体の内部に他のバケツ本体の一部を挿入するようにして複数のバケツ本体を積み重ねることで、簡易トイレの収納スペースを小さくすることができる。
【考案の効果】
【００１３】
本考案によれば、容易に組み立てることができると共に、バケツ本体に被せた袋をきっちりと固定することが可能な簡易トイレを提供することができる。
【図面の簡単な説明】
【００１４】
【図１】本考案の第１実施例に係る簡易トイレにおけるバケツ本体の例を示す平面図である。
【図２】（ａ）は、図１のバケツ本体のＡ−Ａ’断面図であり、（ｂ）は、図１のバケツ本体のＢ−Ｂ’断面図である。
【図３】第１実施例に係る簡易トイレにおける便座の例を示す平面図である。
【図４】（ａ）は、図３の便座のＣ−Ｃ’断面図であり、（ｂ）は、図３の便座のＤ−Ｄ’断面図である。
【図５】第１実施例に係る簡易トイレの組み立て方を説明する図である。
【図６】（ａ）は、バケツ本体と便座とが面接触する例を示す図であり、（ｂ）は、バケツ本体と便座とが多点接触する例を示す図である。
【図７】第１実施例に係るバケツ本体を積み重ねた様子を示す図である。
【図８】本考案の第２実施例に係る簡易トイレにおけるバケツ本体の例を示す平面図である。
【図９】（ａ）は、図８のバケツ本体のＡ−Ａ’断面図であり、（ｂ）は、図８のバケツ本体のＢ−Ｂ’断面図である。
【図１０】第２実施例に係る簡易トイレにおける便座の例を示す平面図である。
【図１１】（ａ）は、図１０の便座のＣ−Ｃ’断面図であり、（ｂ）は、図１０の便座のＤ−Ｄ’断面図である。
【図１２】第２実施例に係るバケツ本体に便座を載置した様子を示す部分拡大図である。
【考案を実施するための形態】
【００１５】
本考案に係る簡易トイレについて、図面を参照して説明する。
図１には、第１実施例に係る簡易トイレにおけるバケツ本体の例を平面図で示してあり、そのＡ−Ａ’断面図を図２（ａ）に、Ｂ−Ｂ’断面図を図２（ｂ）に示してある。
また、図３には、第１実施例に係る簡易トイレにおける便座の例を平面図で示してあり、そのＣ−Ｃ’断面図を図４（ａ）に、Ｄ−Ｄ’断面図を図４（ｂ）に示してある。
【００１６】
本例の簡易トイレは、バケツ本体１０と、該バケツ本体１０の上縁部分１１に載置される便座２０とを備える。
バケツ本体１０は、左右対称な平面形状を有しており、上縁部分１１の左右両側の部分に、外方向に向かって庇状に張り出した一対の張出部１２を設けてある。
便座２０は、バケツ本体１０の上縁部分１１及び張出部１２を覆える幅広の平面形状であり、便座２０の裏面に、バケツ本体１０の張出部１２と当接する当接部２１を有している。
【００１７】
本例の簡易トイレは、幅：約３０ｃｍ、奥行き：約３５ｃｍ、高さ：約３５ｃｍのサイズにしてあるが、サイズは任意である。
また、本例のバケツ本体１０は、卵形の平面形状にしているが、楕円形や角を丸めた多角形など他の平面形状でも構わない。また、本例の便座２０は、バケツ本体の上縁部分１１の全周を覆うＯ型の便座形状にしているが、前方側の一部が途切れたＵ型の便座形状など他の便座形状でも構わない。
また、本例の簡易トイレは、強化プラスチック材料を用いて形成しているが、人の着座に耐えうる耐荷重を得られる他の任意の素材を用いて形成することができる。
【００１８】
本例の簡易トイレによれば、バケツ本体１０の上に便座２０を載置すると、便座２０の裏面がバケツ本体１０の上縁部分１１に当接するだけでなく、当接部２１も張出部１２と当接することになる。
ここで、「当接」するとは、厳密には、対向する互いの部位が直接的に接することを指すが、本明細書では、説明の便宜上、対向する互いの部位が袋３０を介して間接的に接することも含めるものとする。また、「接触」の語も同様とする。
【００１９】
本例の簡易トイレの組み立て方について、図５を参照して説明する。
まず、図５（ａ）に示すように、バケツ本体１０の内面を覆うように袋３０を被せる。このとき、バケツ本体１０の上縁部分１１及び張出部１２も覆うように袋３０を被せる。
次いで、図５（ｂ）に示すように、袋を被せたバケツ本体１０の上に、便座２０を載置する。
【００２０】
その結果、バケツ本体１０に被せた袋３０を、バケツ本体１０の上縁部分１１と便座２０の裏面で挟み込むだけでなく、バケツ本体１０の張出部１２と便座２０の当接部２１でも挟み込むことができる。これにより、袋３０をバケツ本体１０の上縁部分１１だけで便座２０で挟み込む場合に比べ、袋３０のより多くの部分を挟み込めるので、袋３０をしっかりと固定できるようになる。
なお、上記のようにして組み立てた簡易トイレは、袋３０の中に凝固剤を入れて使用することが好ましく、これにより、排泄された屎尿を凝固させることができるので衛生的である。
【００２１】
ここで、本例では、図６（ａ）に示すように、バケツ本体１０の張出部１２と便座２０の当接部２１とは、対向する互いの部位の形状を平面形状にして、互いに面接触させるようにしている。これにより、バケツ本体１０の張出部１２と便座２０の当接部２１で挟み込まれる袋３０の面積が大きくなり、袋をしっかりと固定することができる。
なお、バケツ本体１０の張出部１２と便座２０の当接部２１の各面を、平面形状ではなく、互いに面接触する曲面形状としてもよい。
【００２２】
また、図６（ｂ）に示すように、バケツ本体１０側は面形状とし、便座２０側に複数の突起部２２を設けることで、互いを多点接触させるようにしてもよい。なお、突起部２２は、円柱や角柱のような点形状でもよく、直線状又は曲線状に突出させた形状でもよい。
また、これとは逆に、便座２０側は面形状とし、バケツ本体１０側に複数の突起部２２を設けるようにしてもよいし、或いは、バケツ本体１０側と便座２０側とに交互に突起部２２を設けるようにしてもよい。
更に、これらを組み合わせ、バケツ本体１０の張出部１２と便座２０の当接部２１を、ある部分では面接触させ、他の部分では多点接触させるようにしてもよい。
【００２３】
また、本例のバケツ本体１０は、便座２０に着座した人による荷重が集中する位置を含むように、上縁部分１１の左右両側の部分に張出部１２を形成してある。これにより、便座２０に着座した人による荷重が、バケツ本体１０の張出部１２に集中するので、この張出部１２に重なる袋３０の部分を便座２０の当接部２１でしっかりと押圧して固定することができる。
ここで、荷重が集中する位置は、便座２０に着座した人の身体（臀部や脚部）の下側となる位置やその周辺の位置であるため、これらの位置を含むように張出部１２を形成すればよい。また、本例では、上縁部分１１の左右両側の部分に一対の張出部１２を設けているが、複数対の張出部１２を設けるようにしてもよい。
【００２４】
また、本例のバケツ本体１０は、上部開口部１３から底面部１４に向かって径が縮小する形状となっている。これにより、図７に示すように、複数の簡易トイレを収納する場合に、バケツ本体１０の内部に他のバケツ本体１０の一部を挿入するようにして複数のバケツ本体１０を積み重ねることができるので、簡易トイレの収納スペースを小さくすることができる。
【００２５】
また、本例の便座２０は、バケツ本体１０の上部開口部１３よりも内側まで張り出した平面形状となっている。すなわち、便座２０の開口部２３がバケツ本体１０の上部開口部１３よりも小さくなるようにしている。これにより、小さい体の人（例えば、子供）が簡易トイレを使用する際に、その人の臀部が簡易トイレに落ち込んでしまうことを防止できる。なお、開口部２３の大きさが異なる複数の便座２０を用意しておき、簡易トイレの使用者の体の大きさに応じて便座２０を使い分けるようにしてもよい。
【００２６】
図９には、第２実施例に係る簡易トイレにおけるバケツ本体の例を平面図で示してあり、そのＡ−Ａ’断面図を図１０（ａ）に、Ｂ−Ｂ’断面図を図１０（ｂ）に示してある。
また、図１１には、第２実施例に係る簡易トイレにおける便座の例を平面図で示してあり、そのＣ−Ｃ’断面図を図１２（ａ）に、Ｄ−Ｄ’断面図を図１２（ｂ）に示してある。
【００２７】
本例の簡易トイレは、第１実施例と同様に、バケツ本体１０と、該バケツ本体１０の上縁部分１１に載置される便座２０とを備える。以下では、第１実施例との相違部分について主に説明する。
バケツ本体１０は、左右対称な平面形状を有しており、上縁部分１１の全周に亘って、外方向に向かって庇状に張り出した張出部１２を設けてある。また、便座２０を、バケツ本体１０の張出部１２の形状に合わせてＯ型の便座形状とし、便座２０の裏面の全周に亘って張出部１２に対する当接部２１を設けている。
【００２８】
このように、第２実施例では、バケツ本体１０の上縁部分１１の全周に亘って張出部１２を設けることで、張出部１２の強度を向上させている。また、バケツ本体１０の張出部１２の形状に合わせて、便座２０をＯ型にして裏面の全周に亘って当接部２１を設けることで、バケツ本体１０に載置する便座２０のすわりをよくしている。また、バケツ本体１０に被せた袋３０を、バケツ本体１０と便座２０とでより強固に挟み込んで固定することができる。なお、図示の例では、バケツ本体１０の上縁部分１１の張出部１２について、前方側先端部分の張り出しを他の部分より小さくした形状にしているが、前方側先端部分も他の部分と同程度の張り出しとしても良く、或いは逆に、前方側先端部分については張り出しを無くした形状にしても良い。
【００２９】
また、本例の便座２０は、バケツ本体１０の上部開口部１３よりも内側まで張り出した平面形状となっている。そして、便座２０の開口部２３の形状を、簡易トイレの前後方向に長い略楕円形にしている。これにより、小さい体の人（例えば、子供）が簡易トイレを使用する際の臀部の落ち込みを防止するだけでなく、大きい体の人でも同じ便座２０を用いて簡易トイレを使用することができる。すなわち、簡易トイレの使用者の体の大きさに応じて便座２０を使い分ける必要がなくなる。
【００３０】
また、本例では、バケツ本体１０の張出部１２および便座２０を、上に凸の曲面を描く弧状の断面形状にしている。より具体的には、バケツ本体１０の張出部１２は、上縁部分１１側が頂点となる弧状の断面形状にしてある。また、便座２０は、バケツ本体１０の上縁部分１１側に位置する部分（部位により異なるが、おおよそ、便座２０の外周と内周の中間部分）が頂点となる弧状の断面形状にしてある。これにより、バケツ本体１０の張出部１２および便座２０の強度をより高めることができ、また、便座２０のすわりを更によくすることができる。
【００３１】
なお、本考案に係る簡易トイレは、上記の説明で挙げた例に限定されるものではなく、本考案の趣旨を逸脱しない範囲で適宜設計変更や材料選択等を行って実施することができることは言うまでもない。
【産業上の利用可能性】
【００３２】
本考案は、災害等の緊急時の場面などで使用することが可能な簡易トイレに利用することができる。
【符号の説明】
【００３３】
１０：バケツ本体
１１：上縁部分
１２：張出部
１３：上部開口部
１４：底面部
２０：便座
２１：当接部
２２：突起部
２３：開口部
３０：袋
【図１】
0003206271.tif 000003
【図２】
0003206271.tif 000004
【図３】
0003206271.tif 000005
【図４】
0003206271.tif 000006
【図５】
0003206271.tif 000007
【図６】
0003206271.tif 000008
【図７】
0003206271.tif 000009
【図８】
0003206271.tif 000010
【図９】
0003206271.tif 000011
【図１０】
0003206271.tif 000012
【図１１】
0003206271.tif 000013
【図１２】
0003206271.tif 000014